(57)【要約】【課題】プライバシーを保ちつつコンテンツを提示する。【解決手段】開示レベル管理部１４がリモコンＩＤリスト２１に登録された固有ＩＤの数に基づいて開示するコンテンツを定める開示レベルを算出し、コンテンツの選択を促すコンテンツリストを算出した開示レベルとコンテンツに設定された開示可能レベルとを比較して作成する。これにより、他人に見せたくないコンテンツがコンテンツの選択を促すコンテンツリストに表示されないので、プライバシーを保ちつつコンテンツを提示することが可能になる。さらに、表示機器１０で選択されたコンテンツのコンテンツ種別をリモコンＩＤリスト２１に登録された固有ＩＤに対応する操作機器３０Ａ，３０Ｂの全てに通知することにより、表示機器１０が提示するコンテンツに連動して操作機器３０Ａ，３０Ｂの操作内容を変更することができる。【選択図】図１
2010193169.tif 000002
【特許請求の範囲】
【請求項１】
コンテンツを提示するコンテンツ提示装置を複数の操作装置により操作するコンテンツ提示方法であって、
前記操作装置による、その操作装置を識別する識別子を送信するステップを有し、
前記コンテンツ提示装置による、
前記識別子を受信して識別子リストに登録するステップと、
前記識別子リストに登録された識別子の数に基づいて開示レベルを算出するステップと、
コンテンツ毎に開示可能レベルを設定したコンテンツの一覧を取得するステップと、
前記コンテンツの一覧に含まれるコンテンツそれぞれについて、算出した開示レベルとそのコンテンツの開示可能レベルとを比較してコンテンツリストを生成するステップと、
生成した前記コンテンツリストを出力してコンテンツの選択を促すステップと、
提示するコンテンツが選択されたときに、前記識別子リストに登録された識別子に対応する全ての前記操作装置に選択された前記コンテンツの種別を通知するステップと、を有し、
前記操作装置による、前記種別の通知を受信してその種別に対応する操作内容の表示を行うステップを有すること
を特徴とするコンテンツ提示方法。
【請求項２】
前記コンテンツ提示装置は、設置条件に応じた開示係数を備えており、前記コンテンツリストを生成するステップは、当該開示係数を加味して算出した開示レベルとコンテンツの開示可能レベルとを比較することを特徴とする請求項１記載のコンテンツ提示方法。
【請求項３】
前記コンテンツの一覧は、ネットワークを介して取得されることを特徴とする請求項１又は２記載のコンテンツ提示方法。
【請求項４】
複数の操作装置により操作されてコンテンツを提示するコンテンツ提示装置であって、
前記操作装置を識別する識別子を受信して識別子リストに登録する管理手段と、
前記識別子リストに登録された識別子の数に基づいて開示レベルを算出する開示レベル算出手段と、
コンテンツ毎に開示可能レベルを設定したコンテンツの一覧を取得する取得手段と、
前記コンテンツの一覧に含まれるコンテンツそれぞれについて、算出した開示レベルとそのコンテンツの開示可能レベルとを比較してコンテンツリストを生成するコンテンツリスト生成手段と、
を有することを特徴とするコンテンツ提示装置。
【請求項５】
提示するコンテンツが選択されたときに、前記識別子リストに登録された識別子に対応する全ての前記操作装置に当該コンテンツの種別を通知する通知手段を有することを特徴とする請求項４記載のコンテンツ提示装置。
【請求項６】
設置条件に応じた開示係数を格納した開示係数格納手段を有し、
前記コンテンツリスト生成手段は、前記開示係数格納手段から前記開示係数を読み出し、当該開示係数を加味して算出した開示レベルとコンテンツの開示可能レベルとを比較することを特徴とする請求項４又は５に記載のコンテンツ提示装置。
【請求項７】
前記取得手段は、ネットワークを介して前記コンテンツの一覧を取得することを特徴とする請求項４乃至６のいずれかに記載のコンテンツ提示装置。
【請求項８】
請求項４乃至７のいずれかに記載のコンテンツ提示装置を構成する各手段としてコンピュータを機能させるためのコンテンツ提示プログラム。
【請求項９】
請求項８記載のコンテンツ提示プログラムを記録したコンピュータが読み取り可能な記録媒体。
【発明の詳細な説明】
【技術分野】
【０００１】
本発明は、複数の操作機器によりコンテンツ提示装置を操作してコンテンツを提示する技術に関する。
【背景技術】
【０００２】
従来、映像表示端末に対し、表示するコンテンツの選択や、コンテンツに対する操作を複数のリモコンを使って同時に操作することは可能であった。例えば、特許文献１では、複数のユーザが同時に映像を視聴しながら、映像再生制御を行う方法が示されている。
【先行技術文献】
【特許文献】
【０００３】
【特許文献１】特開２００３−１６３８９３号公報
【発明の概要】
【発明が解決しようとする課題】
【０００４】
しかしながら、映像表示端末に表示するコンテンツをコンテンツリストを表示させて選択する際、映像表示端末に表示されたコンテンツリストを介して、他のユーザにも自分のコンテンツ一覧が見られてしまう可能性があり、プライバシーの面で問題があった。
【０００５】
また、映像表示端末に表示するコンテンツがビデオ映像だけでなく、スライドショーやＷＥＢなどのコンテンツも表示対象とした場合、それらを扱う操作方法はコンテンツの種類によって異なり、コンテンツの種類に応じたリモコンを用意、あるいは意識的にモード切り替え操作を実行する必要があった。
【０００６】
本発明は、上記に鑑みてなされたものであり、その課題とするところは、複数の利用者が各自のコンテンツを選択する際に、プライバシーを保ちつつコンテンツを提示することにある。また、選択されたコンテンツに応じた操作を容易にすることにある。
【課題を解決するための手段】
【０００７】
第１の本発明に係るコンテンツ提示方法は、コンテンツを提示するコンテンツ提示装置を複数の操作装置により操作するコンテンツ提示方法であって、操作装置による、その操作装置を識別する識別子を送信するステップを有し、コンテンツ提示装置による、識別子を受信して識別子リストに登録するステップと、識別子リストに登録された識別子の数に基づいて開示レベルを算出するステップと、コンテンツ毎に開示可能レベルを設定したコンテンツの一覧を取得するステップと、コンテンツの一覧に含まれるコンテンツそれぞれについて、算出した開示レベルとそのコンテンツの開示可能レベルとを比較してコンテンツリストを生成するステップと、生成したコンテンツリストを出力してコンテンツの選択を促すステップと、提示するコンテンツが選択されたときに、識別子リストに登録された識別子に対応する全ての操作装置に選択されたコンテンツの種別を通知するステップと、を有し、操作装置による、種別の通知を受信してその種別に対応する操作内容の表示を行うステップを有することを特徴とする。
【０００８】
第２の本発明に係るコンテンツ提示装置は、複数の操作装置により操作されてコンテンツを提示するコンテンツ提示装置であって、操作装置を識別する識別子を受信して識別子リストに登録する管理手段と、識別子リストに登録された識別子の数に基づいて開示レベルを算出する開示レベル算出手段と、コンテンツ毎に開示可能レベルを設定したコンテンツの一覧を取得する取得手段と、コンテンツの一覧に含まれるコンテンツそれぞれについて、算出した開示レベルとそのコンテンツの開示可能レベルとを比較してコンテンツリストを生成するコンテンツリスト生成手段と、を有することを特徴とする。
【０００９】
第３の本発明に係るコンテンツ提示プログラムは、上記コンテンツ提示装置を構成する各手段としてコンピュータを機能させることを特徴とする。
【００１０】
第４の本発明に係る記録媒体は、上記コンテンツ提示プログラムを記録したコンピュータが読み取り可能な記録媒体であることを特徴とする。
【発明の効果】
【００１１】
本発明にあっては、識別子リストに登録された操作装置を識別する識別子の数に基づいて開示するコンテンツを定める開示レベルを算出し、算出した開示レベルとコンテンツ毎に設定された開示可能レベルを比較してコンテンツリストを生成することにより、登録された識別子の数、つまり、コンテンツ提示装置を利用するユーザの数に応じたコンテンツリストを生成することができる。また、提示するコンテンツが選択されたときに、識別子リストに登録された識別子に対応する全ての操作装置にそのコンテンツの種別を通知することにより、操作装置は、コンテンツ提示装置が提示するコンテンツに連動して操作内容を変更することができ、ユーザが意識的にモード切り替え操作等をする必要がなくなる。
【００１２】
このように、本発明によれば、複数の利用者が各自のコンテンツを選択する際に、プライバシーを保ちつつコンテンツを提示することができる。また、選択されたコンテンツに応じた操作を容易にすることができる。
【図面の簡単な説明】
【００１３】
【図１】第１の実施の形態における表示機器および操作機器の構成を示すブロック図である。
【図２】上記表示機器がリモコン信号を受信したときの動作の流れを示すフローチャートである。
【図３】上記リモコン信号の例を示す図である。
【図４】上記表示機器に登録されたリモコンＩＤリストの例を示す図である。
【図５】上記表示機器のコマンドコード対応表の例を示す図である。
【図６】上記表示機器がコンテンツリストを変更する処理の流れを示すフローチャートである。
【図７】コンテンツリストの例を示す。
【図８】開示レベルが３のときに図７のコンテンツリストをフィルタリング処理した例を示す。
【図９】開示レベルが２のときに図７のコンテンツリストをフィルタリング処理した例を示す。
【図１０】コンテンツが選択されたときの表示機器と操作機器の動作の流れを示すフローチャートである。
【図１１】操作内容テーブルと操作機器に表示される操作内容の例を示す図である。
【図１２】開示レベルを操作機器に表示した例を示す図である。
【図１３】操作内容を表示機器に表示した例を示す図である。
【図１４】第２の実施の形態における表示機器、操作機器の配置を示す模式図である。
【図１５】第２の実施の形態における表示機器の構成を示すブロック図である。
【図１６】ネットワークを介して取得したコンテンツリストの例を示す。
【図１７】図１６に示すコンテンツリストの開示可能レベルに場所開示係数を掛けた例を示す。
【図１８】開示レベルが２のときに図１７のコンテンツリストをフィルタリング処理した例を示す。
【図１９】別のユーザが取得したコンテンツリストの例を示す。
【図２０】開示レベルが２のときに図１９のコンテンツリストをフィルタリング処理した例を示す。
【図２１】場所開示係数の例を示す図である。
【発明を実施するための形態】
【００１４】
以下、本発明の実施の形態について図面を用いて説明する。
【００１５】
［第１の実施の形態］
図１は、第１の実施の形態における表示機器及びその表示機器を操作する操作機器の構成を示すブロック図である。表示機器１０は、操作機器３０Ａ，３０Ｂから受信したリモコン信号に応じて表示機器１０の表示部に提示する映像等のコンテンツを変更可能な装置である。操作機器３０Ａ，３０Ｂは、表示機器１０と相互に通信可能な機能を有する。
【００１６】
操作機器３０Ａ，３０Ｂは、入力部３１、表示部３２、操作管理部３３、送信部３４、受信部３５、操作内容テーブル３６、および固有ＩＤ３７を備える。
【００１７】
入力部３１は、操作機器３０Ａ，３０Ｂの表面に配置されたボタン押下の状態を検出する。
【００１８】
表示部３２は、表示機器１０で表示されるコンテンツの種類に対応する操作内容の表示など、各種情報を表示する。
【００１９】
操作管理部３３は、入力部３１が検出したボタン押下の状態を割り当てられたコマンドコードに変換する。割り当てられたコマンドコードは、表示機器１０が表示するコンテンツの種別に応じて変化するので、操作管理部３３は、表示機器１０が表示するコンテンツの種別が変更されると、操作内容テーブル３６から操作内容を読み出し、ボタン押下の状態に割り当てるコマンドコードを変更する。
【００２０】
送信部３４は、操作管理部３３が変換したコマンドコードと操作機器３０Ａ，３０Ｂそれぞれに設定された固有ＩＤとを合わせて表示機器１０へ送信する。送信する手段としては、赤外線（Ｉｒ）のほか、電波を用いた無線ＬＡＮ等を適用することができる。
【００２１】
受信部３５は、表示機器１０が送信するデータを受信する。表示機器１０が送信するデータとしては、例えば、表示機器１０が表示しているコンテンツの種別を表すコンテンツ種別がある。コンテンツ種別としては、例えば、ビデオ（映像）、スライドショー（画像）、音楽、Ｗｅｂ画面などがある。
【００２２】
表示機器１０は、受信部１１、リモコンＩＤ管理部１２、通知部１３、開示レベル管理部１４、コマンド解析部１５、コンテンツ制御部１６、コンテンツリスト取得部１７、フィルタリング処理部１８、コンテンツリスト生成部１９表示部２０、リモコンＩＤリスト２１、コンテンツリスト保持部２２、コマンド対応表２３、および操作内容テーブル２４を備える。表示機器１０は、演算処理装置、記憶装置、メモリ等を備えたコンピュータにより構成して、各部の処理がプログラムによって実行されるものとしてもよい。このプログラムは表示機器１０が備える記憶装置に記憶されており、磁気ディスク、光ディスク、半導体メモリ等の記録媒体に記録することも、ネットワークを通して提供することも可能である。
【００２３】
受信部１１は、操作機器３０Ａ，３０Ｂが送信するリモコン信号を受信して固有ＩＤとコマンドコードを取得する。操作機器３０Ａ，３０Ｂを識別するための固有ＩＤはリモコンＩＤ管理部１２へ送信し、表示機器１０の操作を示すコマンドコードは、コマンド解析部１５へ送信する。
【００２４】
リモコンＩＤ管理部１２は、受信部１１から操作機器３０Ａ，３０Ｂの固有ＩＤを受信してリモコンＩＤリスト２１に登録する。操作機器３０Ａ，３０Ｂが明示的に離脱した場合や操作機器３０Ａ，３０Ｂが最後の操作をしてから所定の時間経過した場合などにリモコンＩＤリスト２１からその操作機器３０Ａ，３０Ｂに対応する固有ＩＤが削除される。
【００２５】
開示レベル管理部１４は、リモコンＩＤリスト２１に登録されている固有ＩＤの数に基づいて開示レベルを判断する。例えば、登録されている固有ＩＤの数が多い場合は開示レベルを高く、その数が少ない場合は開示レベルを低くする。開示レベルとして、登録されている固有ＩＤの数そのものを用いてもよい。開示レベルとは、表示機器１０においてコンテンツをどの程度まで見せてもよいかという他人に対する警戒の度合いを示す指標である。ユーザの保持するコンテンツのそれぞれには開示可能レベルが設定されている。開示レベル管理部１４が算出した開示レベルよりも高い開示可能レベルを持つコンテンツは表示機器１０が表示するコンテンツリスト内に表示されるが、開示レベル管理部１４が算出した開示レベルよりも低い開示可能レベルを持つコンテンツはコンテンツリストにおいて表示されない。コンテンツリストは、ユーザが登録したコンテンツの一覧を表示するものであり、ユーザは自ら気に入ったコンテンツやお薦めされたコンテンツなどを任意に登録することができる。コンテンツリストは表示部２０に表示され、ユーザは表示されたコンテンツリストからコンテンツを選択して表示する。開示可能レベルが低いコンテンツはよりプライベートなコンテンツであり、多数の固有ＩＤが登録されているとき、つまり、多数の人が表示機器１０を見ているときは、そのコンテンツはコンテンツリストにも表示されない。本実施の形態では、開示レベルが高いほど他人に見られてもよいコンテンツであり、開示レベルが低いほどプライバシーに関する情報などを含んでおり他人に見られたくないコンテンツである、と設定しているが、開示レベルの高低の意味合いはシステムに応じて設定すればよい。
【００２６】
通知部１３は、リモコンＩＤ管理部１２からリモコンＩＤリスト２１に登録されている固有ＩＤを得て、その固有ＩＤに対応する操作機器３０Ａ，３０Ｂのそれぞれに、表示機器１０が表示しているコンテンツの種別や現在の開示レベルを通知する。操作機器３０Ａ，３０Ｂへの通知手段としては無線ＬＡＮを用いる方法がある。
【００２７】
コマンド解析部１５は、コマンド対応表２３を参照し、受信したコマンドコードに対応する操作の実行をコンテンツ制御部１６に指示する。
【００２８】
コンテンツ制御部１６は、受信したコマンドコードに基づいてコンテンツを制御する。また、新たにコンテンツが選択された場合は選択されたコンテンツのコンテンツ種別をリモコンＩＤ管理部１２に送信して、リモコンＩＤリスト２１に登録されている全ての固有ＩＤに対応する操作機器３０Ａ，３０Ｂに選択したコンテンツ種別を通知する。
【００２９】
コンテンツリスト取得部１７は、コンテンツリスト保持部２２からコンテンツリストを取得する。取得したコンテンツリストは、フィルタリング処理部１８により開示レベルに応じて処理されて、コンテンツリスト生成部１９によりコンテンツリストを生成する。生成されたコンテンツリストは、表示部２０において表示される。
【００３０】
次に、表示機器１０がリモコン信号を受信したときの動作について図を用いて説明する。図２は、表示機器１０がリモコン信号を受信したときの動作の流れを示すフローチャートである。
【００３１】
まず、受信部１１が、操作機器３０Ａ，３０Ｂが送信したリモコン信号を受信し（ステップＳ２０１）、固有ＩＤとコマンドコードを取得する（ステップＳ２０２）。図３に、操作機器３０Ａ，３０Ｂが送信するリモコン信号の例を示す。操作機器３０Ａ，３０Ｂは、操作機器３０Ａ，３０Ｂを識別するための固有ＩＤとコマンドコードにヘッダ、フッタを付加して送信する。例えば、ヘッダにはリモコン信号の全体のサイズや本発明のシステムが適用されているか否かを識別するためのヘッダ情報が含まれ、フッタにはエラーチェックのためのフッタ情報が含まれる。
【００３２】
続いて、リモコンＩＤ管理部１２により、取得した固有ＩＤがリモコンＩＤリスト２１に登録される（ステップＳ２０３）。すでに登録されている固有ＩＤは登録しない。図４に、３つの固有ＩＤが登録されたリモコンＩＤリスト２１の例を示す。
【００３３】
続いて、開示レベル管理部１４がリモコンＩＤリスト２１に登録されている固有ＩＤの数に基づいて開示レベルを算出し、開示レベルが変更されるか否かを判定する（ステップＳ２０４）。登録されている固有ＩＤの数が多いほど開示レベルを高くする。つまり、登録されている固有ＩＤの数が多いほど表示機器１０を見ているユーザの数が多いと考えられるので、開示レベルを高くする。
【００３４】
開示レベルが変更される場合は、表示部２０に表示されるコンテンツリストの表示内容を変更し（ステップＳ２０５）、リモコンＩＤリスト２１に登録されている全ての固有ＩＤに対応する操作機器３０Ａ，３０Ｂに開示レベルの変更を通知する（ステップＳ２０６）。コンテンツリストの変更については後述する。
【００３５】
一方、コマンド解析部１５は、コマンド対応表２３を参照して取得したコマンドコードに対応する操作の実行を指示する（ステップＳ２０７）。図５にコマンドコード対応表の例を示す。例えば、取得したコマンドコードが０ｘ０２の場合、現在選択されているコンテンツの再生をコンテンツ制御部１６に指示する。
【００３６】
このようにして、操作機器３０Ａ，３０Ｂが送信するリモコン信号によりコンテンツの操作が行われる。
【００３７】
次に、コンテンツリストの変更について図を用いて説明する。図６は、コンテンツリストを変更する処理の流れを示すフローチャートである。
【００３８】
開示レベルが変更された場合、まず、コンテンツリスト取得部１７がコンテンツリスト保持部２２の保持するコンテンツリストを取得する（ステップＳ６０１）。図７にコンテンツリストの例を示す。コンテンツリストは、コンテンツの登録者を示すリモコンＩＤ（操作機器の固有ＩＤ）、コンテンツＩＤ、コンテンツ名、そのコンテンツが格納されているコンテンツ場所、およびそのコンテンツの開示可能レベルを含む。
【００３９】
続いて、フィルタリング処理部１８が開示レベル管理部１４から開示レベルを取得し（ステップＳ６０２）、取得した開示レベルを用いてコンテンツリストをフィルタリングする（ステップＳ６０３）。そして、コンテンツリスト生成部１９は、表示部２０に表示させるコンテンツリストを生成する（ステップＳ６０４）。図８に、開示レベルを３として、図７に示すコンテンツリストをフィルタリングした例を示す。図８では開示レベルより小さい開示可能レベルを持つコンテンツがフィルタリングされている。図９に、開示レベルを２としてコンテンツリストをフィルタリングした例を示す。図９は図８よりも開示レベルが低いので、図８よりも多くのコンテンツを含むコンテンツリストが生成される。
【００４０】
このように、開示レベルに応じてコンテンツリストで表示されるコンテンツが変化するので、ユーザはコンテンツリストを表示する際にプライバシーを保つことができる。
【００４１】
次に、コンテンツが選択されたときの表示機器１０の動作について説明する。図１０は、コンテンツが選択されたときの表示機器１０と操作機器３０Ａ，３０Ｂの動作の流れを示すフローチャートである。
【００４２】
操作機器３０Ａ，３０Ｂが送信したリモコン信号に含まれるコマンドコードにより、コンテンツ制御部１６が新たなコンテンツを選択すると（ステップＳ１００１）、リモコンＩＤ管理部１２は、リモコンＩＤリスト２１に登録されている固有ＩＤとともに、新たに選択されたコンテンツのコンテンツ種別を通知部１３に渡す（ステップＳ１００２）。
【００４３】
通知部１３は、リモコンＩＤリスト２１に登録されている固有ＩＤに対応する全ての操作機器３０Ａ，３０Ｂに新たに選択されたコンテンツのコンテンツ種別を通知する（ステップＳ１００３）。
【００４４】
操作機器３０Ａ，３０Ｂそれぞれの受信部３５が受信したコンテンツ種別は、操作管理部３３で取得され（ステップＳ１００４）、操作管理部３３は、そのコンテンツ種別に対応する操作内容を操作内容テーブル３６から取得して（ステップＳ１００５）、操作機器３０Ａ，３０Ｂの操作内容を変更する（ステップＳ１００６）。そして、操作機器３０Ａ，３０Ｂの表示部３２にコンテンツ種別に対応する操作内容を表示する（ステップＳ１００７）。
【００４５】
図１１に操作内容テーブル３６の例を示す。同図には、ビデオ、スライドショー、およびＷｅｂの３タイプのコンテンツ種別とそれぞれの操作内容、および操作機器３０Ａ，３０Ｂの表示部３２に表示される画像を示している。例えば、コンテンツ種別がビデオのときは、上下左右それぞれのボタンに再生／一時停止、停止、巻戻し、早送りの操作を割り当て、同図の右端の欄の操作内容を示す画像を表示部３２に表示する。コンテンツ種別がビデオのとき、操作管理部３３は、上ボタンが押下された場合に、再生／一時停止に対応するコマンドコードを生成する。
【００４６】
図１２は、開示レベルを操作機器３０Ａ，３０Ｂの表示部３２に表示した例を示している。同図に示すように、操作機器３０Ａ，３０Ｂの表示部３２は、操作内容だけでなく開示レベルも表示する。同図では、表示機器１０から通知された開示レベルを表示部３２の図上の右上に鍵の数で表している。このように、各ユーザは、開示レベルを操作機器３０Ａ，３０Ｂで確認することができる。
【００４７】
図１３は、操作機器３０Ａ，３０Ｂの表示部３２に表示した操作内容を表示機器１０の表示部２０の右下にも表示した例を示す。同図では、表示機器１０は、コンテンツ種別がビデオのコンテンツを提示しており、このとき、ビデオに対応する操作内容が表示部２０の右下に表示されている。このように、コンテンツ種別が変わり操作内容が変わったことを表示機器１０の表示部２０に一時的に表示してもよい。
【００４８】
以上説明したように、本実施の形態によれば、開示レベル管理部１４がリモコンＩＤリスト２１に登録された固有ＩＤの数に基づいて開示するコンテンツを定める開示レベルを算出し、コンテンツの選択を促すコンテンツリストを算出した開示レベルとコンテンツに設定された開示可能レベルとを比較して作成することにより、他人に見せたくないコンテンツがコンテンツの選択を促すコンテンツリストに表示されないので、プライバシーを保ちつつコンテンツを提示することが可能になる。
【００４９】
本実施の形態によれば、表示機器１０で選択されたコンテンツのコンテンツ種別をリモコンＩＤリスト２１に登録された固有ＩＤに対応する操作機器３０Ａ，３０Ｂの全てに通知することにより、表示機器１０が提示するコンテンツに連動して操作機器３０Ａ，３０Ｂの操作内容を変更することができるので、ユーザが意識的にモード切り替え操作をする必要がなくなり、ユーザは表示機器１０が提示するコンテンツに応じた操作を容易に行うことができる。
【００５０】
［第２の実施の形態］
第２の実施の形態は、操作対象の表示機器の配置状況などに応じて開示レベルが変更されるものである。まず、第１の実施の形態と同様に、開示レベルをリモコンＩＤリストに登録された固有ＩＤの数で算出する。第２の実施の形態では、その後、コンテンツリストの開示可能レベルを表示機器の配置条件によって変更する。
【００５１】
図１４は、第２の実施の形態における表示機器、操作機器のシステム構成図である。各ユーザは、操作機器３０Ａ，３０Ｂにより表示機器５０Ａ，５０Ｂを操作する。ユーザＡは操作機器３０Ａにより、表示機器５０Ａ，５０Ｂのどちらも操作することができる。もちろんユーザＢも同様に操作機器３０Ｂにより、表示機器５０Ａ，５０Ｂのどちらも操作することができる。表示機器５０Ａ，５０Ｂそれぞれは、各ユーザ宅に配置され、ネットワーク９０を介してサーバ７０に接続される。サーバ７０は、ユーザ毎にコンテンツの管理や各ユーザの操作機器３０Ａ，３０Ｂの固有ＩＤの管理を行う。サーバ７０が各ユーザ（表示機器）のコンテンツリストを保持するものでもよい。
【００５２】
第２の実施の形態では、コンテンツリストをネットワーク９０を介して取得することができるとともに、ユーザＡが操作機器３０Ａにより自宅内に配置された表示機器５０Ａを操作する場合と、ユーザＡが操作機器３０ＡによりユーザＢ宅内に配置された表示機器５０Ｂを操作する場合とで設定される開示レベルが異なるものである。具体的には、操作機器３０Ａにより自宅外の表示機器５０Ｂを操作するときの各コンテンツの開示可能レベルは、操作機器３０Ａにより自宅の表示機器５０Ａを操作するときの各コンテンツの開示可能レベルよりも低く設定される。
【００５３】
図１５は、第２の実施の形態における表示機器５０の構成を示すブロック図である。同図に示す表示機器５０は、ネットワーク通信部５１を備えてネットワーク９０を介してコンテンツリストを取得する点と、場所開示係数５２を有し、フィルタリング処理部１８によりその場所開示係数５２を用いて開示レベルを変更する点で第１の実施の形態と異なる。他の部分については第１の実施の形態と同様であるので説明は省略する。なお、操作機器３０Ａ，３０Ｂについても第１の実施の形態と同様であるので説明は省略する。
【００５４】
ネットワーク通信部５１は、操作機器３０Ａに対応するコンテンツリストをネットワーク９０を介して取得し、コンテンツリスト取得部１７に送信する。そして、フィルタリング処理部１８は場所開示係数を取得し、取得したコンテンツリストの開示可能レベルに場所開示係数を掛け合わせるとともに、開示レベル管理部１４から開示レベルを取得してコンテンツのフィルタリングを行う。開示レベル管理部１４がリモコンＩＤリストに登録された固有ＩＤの数に基づいて開示レベルを算出する点は第１の実施の形態と同じである。
【００５５】
例えば、ユーザＡがユーザＢ宅に行き、ユーザＡの有する操作機器３０ＡでユーザＢ宅に配置された表示機器５０Ｂを操作するときに、ネットワーク通信部５１がネットワーク９０を介して取得したコンテンツリストが図１６に示すものであるとする。図１６に示すように、リモコンＩＤが操作機器３０Ａの固有ＩＤと一致するコンテンツリストが取得される。そして、フィルタリング処理部１８は、場所開示係数（ここでは０．８）を取得し、コンテンツリストの開示可能レベルに場所開示係数を掛け合わせる。図１７に、場所開示係数を掛け合わせた後のコンテンツリストを示す。開示レベル管理部１４の開示レベルが２であるとすると、フィルタリング処理部１８によりフィルタリングされたコンテンツリストは、図１８に示すように、開示可能レベルが２以上のコンテンツとなる。
【００５６】
一方、ユーザＢの有する操作機器３０Ｂで表示機器５０Ｂを操作するときに、コンテンツリスト取得部１７が取得したコンテンツリストが図１９に示すものであるとする。操作機器３０Ｂにとって表示機器５０Ｂの場所開示係数は１であるので、コンテンツリストの開示可能レベルに変更はない。開示レベル管理部１４の開示レベルが２であるとすると、フィルタリング処理部１８によりフィルタリングされたコンテンツリストは、図２０に示すように、開示可能レベルが２以上のコンテンツとなる。
【００５７】
上記のように場所開示係数は、操作機器３０Ａ，３０Ｂにより操作する表示機器５０Ａ，５０Ｂの配置場所によって異なる。図２１に場所開示係数の例を示す。自宅にある表示機器を自分の操作機器により操作する場合の場所開示係数を１とする。上記のユーザＢが操作機器３０Ｂで表示機器５０Ｂを操作する場合である。自宅外の宅内にある表示機器を自分の操作機器により操作する場合の場所開示係数を０．８とする。上記のユーザＡが操作機器３０Ａで表示機器５０Ｂを操作する場合である。また、公共空間に配置された表示機器を操作する場合の場所開示係数を０．５とする。なお、場所開示係数は、設置する場所や表示機器の大きさ、向きなどの設置条件毎に設定するのが望ましい。
【００５８】
以上説明したように、本実施の形態によれば、表示機器５０の設置条件に応じた場所開示係数を加味して開示レベルを算出することにより、表示機器５０の設置場所によるコンテンツのフィルタリングを実現することが可能となる。
【符号の説明】
【００５９】
１０…表示機器
１１…受信部
１２…管理部
１３…通知部
１４…開示レベル管理部
１５…コマンド解析部
１６…コンテンツ制御部
１７…コンテンツリスト取得部
１８…フィルタリング処理部
１９…コンテンツリスト生成部
２０…表示部
２１…リスト
２２…コンテンツリスト保持部
２３…コマンド対応表
２４…操作内容テーブル
５０，５０Ａ，５０Ｂ…表示機器
５１…ネットワーク通信部
５２…場所開示係数
３０Ａ，３０Ｂ…操作機器
３１…入力部
３２…表示部
３３…操作管理部
３４…送信部
３５…受信部
３６…操作内容テーブル
３７…固有ＩＤ
７０…サーバ
９０…ネットワーク
【図１】
2010193169.tif 000003
【図２】
2010193169.tif 000004
【図３】
2010193169.tif 000005
【図４】
2010193169.tif 000006
【図５】
2010193169.tif 000007
【図６】
2010193169.tif 000008
【図７】
2010193169.tif 000009
【図８】
2010193169.tif 000010
【図９】
2010193169.tif 000011
【図１０】
2010193169.tif 000012
【図１１】
2010193169.tif 000013
【図１２】
2010193169.tif 000014
【図１３】
2010193169.tif 000015
【図１４】
2010193169.tif 000016
【図１５】
2010193169.tif 000017
【図１６】
2010193169.tif 000018
【図１７】
2010193169.tif 000019
【図１８】
2010193169.tif 000020
【図１９】
2010193169.tif 000021
【図２０】
2010193169.tif 000022
【図２１】
2010193169.tif 000023